(57)【特許請求の範囲】
【請求項１】
給水手段によって供給される処理水をその内部に隔膜を介して設けた一対の電極に直流電圧を印加されたとき電気分解して電解イオン水を生成する電解槽と、該電解槽の前記電極をそれぞれ配設した第１電極室と第２電極室から導出された電解イオン水を貯留する貯水タンクと、前記電解イオン水を前記貯水タンクに導出する導出管路に介在して前記電解イオン水の流路を切換える流路切換弁と、前記電解槽の各電極室内に残存する電解イオン水を排出する排出管路に介在してその作動時に前記両導出管路と両電極室から電解イオン水を排出する排出弁と、電解イオン水の生成開始信号に応答して前記給水手段を給水作動させるとともに前記電解槽内の電極への直流電圧印加を前記流路切換弁の切換状態に応じた正逆極性にて開始させ、第１設定時間が経過したとき前記電解槽内の電極への電圧印加を停止させるとともに前記給水手段を止水作動させる運転制御手段を有する制御装置を備えた電解水生成装置において、
前記第１設定時間の経過時に前記給水手段を止水作動させた後に前記流路切換弁を作動させて前記電解水の導出流路を切換えた状態にて前記排水弁を開放作動させて同排水弁を所定時間の経過後に閉作動させ、その後に第２設定時間が経過したとき前記給水手段を給水作動させるとともに前記電解槽内の電極に前回運転時の極性とは逆性の直流電圧を印加して再び電解イオン水の生成を開始させる制御手段を前記制御装置に設けたことを特徴とする電解水生成装置。
【請求項２】
前記第１設定時間又は第２設定時間の少なくとも一方を適宜に調節する手段を設けたこと特徴とする請求項１に記載の電解水生成装置。
【請求項３】
前記第１設定時間の経過時に前記給水手段が止水作動した状態にて前記電解槽に接続した給水管路に介装したフローセンサによって処理水の流れが検出されたときその検出信号に応答して警報を発する警報手段を設けたことを特徴とする請求項１に記載の電解水生成装置。
【発明の詳細な説明】
【０００１】
【産業上の利用分野】
本発明は、水または食塩水等の処理水を電気分解して酸性イオン水とアルカリ性イオン水を生成する電解水生成装置に関する。
【０００２】
【従来の技術】
この種の装置の一つとして、特開平６−３０４５６１号公報にて、第１及び第２の電極を内部に対向配設するとともにこれら両電極間に隔膜を配設して各電極を収容する第１及び第２の電極室を形成しこれら両電極室に処理水が流入・流出するようにした電解槽と、処理水を前記電解槽の両電極室に給水管を通して給水する給水手段と、前記第１の電極室に接続され同電極室にて生成された電解イオン水を排出する第１の排出管と、前記第２の電極室に接続され同電極室にて生成された電解イオン水を排出する第２の排出管と、前記第１及び第２の排出管に流路切換弁を介して選択的に接続される一対の導出管とを備えるとともに、前記電解槽と前記給水手段と前記流路切換弁の各作動を制御する制御装置を備えてなる電解水生成装置が示されている。
【０００３】
【発明が解決しようとする課題】
ところで、上記した公報の装置において得られる各電解イオン水（アルカリ性イオン水または酸性イオン水）を大気開放のタンクに貯えて使用する場合、同タンク内に貯溜されている電解イオン水は大気中の炭酸ガスや酸素などの気体、また光などによって経時変化して劣化し所期の性能を長時間維持できず、ＰＨ値および酸化還元電位値が徐々に中性の値に近づいてくる。
【０００４】
【課題を解決するための手段】
本発明は、上記の課題を解決するため、給水手段によって供給される処理水をその内部に隔膜を介して設けた一対の電極に直流電圧を印加されたとき電気分解して電解イオン水を生成する電解槽と、該電解槽の前記電極をそれぞれ配設した第１電極室と第２電極室から導出された電解イオン水を貯留する貯水タンクと、前記電解イオン水を前記貯水タンクに導出する導出管路に介在して前記電解イオン水の流路を切換える流路切換弁と、前記電解槽の各電極室内に残存する電解イオン水を排出する排出管路に介在してその作動時に前記両導出管路と両電極室から電解水を排出する排出弁と、電解イオン水の生成開始信号に応答して前記給水手段を給水作動させるとともに前記電解槽内の電極への直流電圧印加を前記流路切換弁の切換状態に応じた正逆極性にて開始させ、第１設定時間が経過したとき前記電解槽内の電極への電圧印加を停止させるとともに前記給水手段を止水作動させる運転制御手段を有する制御装置を備えた電解水生成装置において、前記第１設定時間の経過時に前記給水手段を止水作動させた後に前記流路切換弁を作動させて前記電解イオン水の導出流路を切換えた状態にて前記排水弁を開放作動させて同排水弁を所定時間の経過後に閉作動させ、その後に第２設定時間が経過したとき前記給水手段を給水作動させるとともに前記電解槽内の電極に前回運転時の極性とは逆性の直流電圧を印加して再び電解イオン水の生成を開始させる制御手段を前記制御装置に設けたことを特徴とする電解水生成装置を提供するものである。
【０００５】
【発明の作用効果】
本発明による電解水生成装置においては、制御装置の運転制御手段が生成開始信号に基づいて給水手段を給水動作させるとともに、電解槽への電圧印加を流路切換弁の切換状態に応じた正逆極性で開始させると、給水手段により電解槽の両電極室に給水管を通して処理水が給水され、また電解槽内の両電極に流路切換弁の切換状態に応じた正逆極性で直流電圧が印加されて、電解槽内で処理水は電気分解されてプラス側電極の電極室からは水素イオンが増加した酸性イオン水が導出され、一方マイナス側電極の電極室からは水酸イオンが増加したアルカリ性イオン水が導出され、各電解イオン水は流路切換弁と各導出管路を通して各貯水タンクに導出される。
【０００６】
また、上記した電解イオン水の生成開始から第１設定時間が経過したとき前記運転制御手段の制御下にて電解槽への電圧印加が停止されるとともに給水手段が止水作動されると、電解イオン水の生成運転が一時中断される。この状態にて、流路切換弁の切換作動によって電解イオン水の導出流路が切換えられた後に排水弁が開放作動され所定時間の経過後に閉作動されることにより電解イオン水の両導出管路と電解槽の両電極室に残存した電解水が排出管路を通して排出され、その後に第２設定時間が経過したとき電解イオン水の生成運転が再開される。（但し、流路切換弁の状態と両電極の正逆極性は共に前回の電解水生成運転時とは逆になっている。）これにより、電解槽の各電極室から同じ特性の電解イオン水が再び各貯水タンクに導出される。
【０００７】
このように本発明による電解水生成装置においては、上述した制御装置の制御下にて電解イオン水の生成と停止が繰り返し行われて当該装置が設定時間毎に間欠運転されるため、各電解イオン水（アルカリ性イオン水または酸性イオン水）を大気開放の貯水タンクに貯えて使用する場合にも、間欠的に生成されて導かれる電解イオン水により貯水タンク内に貯溜されている電解イオン水は設定時間毎に所期の性能を回復し、同電解イオン水を長時間にわたって効果的に使用することができる。
【０００８】
また、本発明による電解水生成装置においては、上述したように当該装置が間欠運転されるとき同じ条件で電解水の生成が再開されるため、例えば各電極に付着するスケールの量と、これを除去するに要する時間が両電極にて略等しくなり、各電解水生成（第１設定時間の生成運転）によって質及び量の均一な電解イオン水を得ることができる。また、上記した第１設定時間及び前記第２設定時間の少なくとも一方を可変とした場合には、当該装置を使用目的に応じて最適に間欠運転させることができて経済的に運転させることができる。
【０００９】
【実施例】
以下に、本発明の一実施例を図面に基づいて説明する。図１は本発明による電解水生成装置を示していて、この電解水生成装置は電解槽２０の両電極室に処理水（水道水）を給水管１１を通して給水する給水弁Ｖ１を備えていて、この給水弁Ｖ１は常閉型の電磁開閉弁であり制御装置１００によって作動を制御されるようになっている。給水管１１は、上記した給水弁Ｖ１とフローセンサＳを介装した接続部１１ａと、この接続部１１ａの先端から上方に延びる立上部１１ｂと、この立上部１１ｂの先端から分岐して上方に延び電解槽２０の両流入口２１ａ，２１ｂにそれぞれ接続される分岐部１１ｃによって構成されていて、接続部１１ａには周知の浄水器Ｆを介して給水ホース１２が接続され、また立上部１１ｂの下端には排水弁Ｖ２を介装した排水管１３が接続されている。給水ホース１２は、機外に延びていて、水道管（図示省略）に接続されるようになっている。
【００１０】
フローセンサＳは、給水管１１における接続部１１ａ内の水の流れを検出するものであり、その検出信号は制御装置１００に入力されるようになっている。排水管１３は、機底部に沿って配置されていて機外に延びており、排水溝（図示省略）に排水可能となっている。排水弁Ｖ２は、常閉型の電磁開閉弁であり制御装置１００によって作動を制御されるようになっている。
【００１１】
電解槽２０は、一対の流入口２１ａ，２１ｂと一対の流出口２１ｃ，２１ｄを有する槽本体２１と、この槽本体２１内に対向配設した第１及び第２の電極２２，２３と、これら両電極２２，２３間に配設されて各電極２２，２３を収容する第１及び第２の電極室２４，２５を形成する隔膜２６によって構成されていて、第１電極室２４には流入口２１ａと流出口２１ｃが連通し、第２電極室２５には流入口２１ｂと流出口２１ｄが連通している。各電極２２，２３は、チタン基材の表面に白金メッキ或いは白金イリジウムを焼成してなるもので、両電極２２，２３への直流電圧の印加・停止及び正負電極切換は制御装置１００によって制御されるようになっている。また、各流出口２１ｃ，２１ｄには第１及び第２の排出管３１，３２が接続されていて、両排出管３１，３２は流路切換弁Ｖ３を介して第１及び第２の導出管３３，３４に接続されている。
【００１２】
各導出管３３，３４は、電解槽２０より上方に立ち上がる立上部３３ａ，３４ａを有していて、図２にて示したように延出配管されて大気に開口しており、各立上部３３ａ，３４ａの下端にて流路切換弁Ｖ３に接続されている。一方の導出管３３はアルカリ性イオン水を図２に示した大豆処理タンク４０に導くものであり、他方の導出管３４は酸性イオン水を図２に示した排水導管５０（図示しない排水溝に連通している）に導くものである。大豆処理タンク４０は、大豆Ａをアルカリ性イオン水Ｂに浸漬処理するためのものであり、底部に多数の連通孔４１ａを有して所定量の大豆Ａと所定量のアルカリ性イオン水Ｂを収容する大気開放の収容部４１と、この収容部４１から連通孔４１ａを通して流れるアルカリ性イオン水Ｂをオーバーフローさせるオーバーフロー通路４２と、このオーバーフロー通路４２を通して溢れるアルカリ性イオン水Ｂを図示しない排水溝に導く排出通路４３を備えている。
【００１３】
流路切換弁Ｖ３は、酸・アルカリに耐える４ポート２位置切換バルブであって、電動モータ（図示省略）によって切換駆動されるものであり、図１の仮想線で示した逆状態（排出管３１が導出管３４に接続され排出管３２が導出管３３に接続されている状態）にて制御装置１００から正信号を受けたとき図１の実線で示した正状態（排出管３１が導出管３３に接続され排出管３２が導出管３４に接続されている状態）に切り替わり、また図１の実線で示した正状態にて制御装置１００から逆信号を受けたとき図１の仮想線で示した逆状態に切り替わるようになっており、図１の仮想線で示した逆状態にあるか実線で示した正状態にあるかはセンサ（図示省略）によって検出されるようになっている。
【００１４】
制御装置１００は、電源スイッチ１０１と生成スイッチ１０２（共にＯＮ−ＯＦＦ切換スイッチである）を備えるとともに、第１設定時間ｔａを可変設定するための第１設定装置１０３と第２設定時間ｔｂを可変設定するための第２設定装置１０４とタイマ（図示省略）を備え、また図３及び図４に示したフローチャートに対応したプログラムを実行するマイクロコンピュータ（図示省略）を備えていて、各スイッチ１０１，１０２の操作とフローセンサＳからの信号と流路切換弁Ｖ３の状態を検出するセンサからの信号と内蔵するタイマ（図示省略）の計時値に基づいて、給水弁Ｖ１及び排水弁Ｖ２の開閉作動と流路切換弁Ｖ３の切換作動と電解槽２０における両電極２２，２３への直流電圧の印加・停止及び正負電極切換（極性変更）とを制御するようになっており、以下に説明する各作動が得られるようになっている。
【００１５】
上記のように構成した本実施例においては、当該電解水生成装置が使用可能な状態で電源スイッチ１０１がオン操作されると、制御装置１００のマイクロコンピュータが図３のステップ２０１にてプログラムの実行を開始し、ステップ２０２にて生成スイッチ１０２がオン操作されているか否かが判定される。このとき、生成スイッチ１０２がオン操作されていなければ、ステップ２０２にて「ＮＯ」と判定されてステップ２０２の処理が繰り返し実行され、また生成スイッチ１０２がオン操作されていれば、ステップ２０２にて「ＹＥＳ」と判定されてステップ２０３，２０４の処理が実行される。
【００１６】
ステップ２０３では給水弁Ｖ１に開信号が出力され、ステップ２０４ではフローセンサＳがＯＮか否かが判定される。給水弁Ｖ１は、正常であれば開信号にて開作動するため、水道が断水状態でなければ、給水管１１を水道水が流れてフローセンサＳがＯＮとなり、ステップ２０４にて「ＹＥＳ」と判定されてステップ２０５，２０６または２０７の処理が実行される。なお、給水弁Ｖ１が開信号にて開作動しないか、水道が断水状態であるときには、ステップ２０４にて「ＮＯ」と判定されて２０８の断水警報ルーチンが実行されて警報が発せられる。水道が断水状態から通水状態となったときには、水道の通水によりフローセンサＳがＯＮとなり、ステップ２０４にて「ＹＥＳ」と判定されてステップ２０５，２０６または２０７の処理が実行される。
【００１７】
ステップ２０５では流路切換弁Ｖ３が図１の実線に示した正状態に保持されているか否かが判定され、「ＹＥＳ」と判定されたときにはステップ２０６が処理された後にステップ２０９，２１０が実行され、また「ＮＯ」と判定されたときにはステップ２０７が処理された後にステップ２０９，２１０が実行される。ステップ２０６では電解槽２０の両電極２２，２３に所定値の直流電圧が正電圧印加されて、電極２２がマイナス極となり電極２３がプラス極となる。一方、ステップ２０７では電解槽２０の両電極２２，２３に所定値の直流電圧が逆電圧印加されて、電極２２がプラス極となり電極２３がマイナス極となる。
【００１８】
ステップ２０９ではタイマがリセットされて計時値ｔがゼロとされ、ステップ２１０ではステップ２０９にてリセットされたタイマの計時値ｔが第１設定値ｔａ以上か否かが判定される。ステップ２０９にてリセットされたタイマの計時値ｔが第１設定値ｔａに満たないときにはステップ２１０にて「ＮＯ」と判定されてステップ２１１の処理が実行され、また上記した計時値ｔが第１設定値ｔａに達するとステップ２１０にて「ＹＥＳ」と判定されて図４のステップ２１５以降の処理が実行される。上記した第１設定値ｔａは、図１に示した第１設定装置１０３によって例えば１０分〜９０分の範囲で適宜に変更可能である。
【００１９】
ステップ２１１では生成スイッチ１０２がオフ操作されているか否かが判定される。このとき、生成スイッチ１０２がオフ操作されていなければ、ステップ２１１にて「ＮＯ」と判定されてステップ２１０に戻り、また生成スイッチ１０２がオフ操作されていれば、ステップ２１１にて「ＹＥＳ」と判定されてステップ２１２，２１３，２１４の処理が実行される。ステップ２１２では電解槽２０の両電極２２，２３への電圧印加が停止され、ステップ２１３では給水弁Ｖ１に閉信号が出力され、ステップ２１４ではプログラムの実行が終了する。
【００２０】
このため、流路切換弁Ｖ３が図１の実線にて示した正状態で、電源スイッチ１０１と生成スイッチ１０２のオン操作により当該装置が正常に起動するときには、上記したステップ２０１，２０２，２０３，２０４，２０５，２０６，２０９，２１０，２１１の処理が実行されて、給水ホース１２から浄水器Ｆを通過した水道水が給水弁Ｖ１とフローセンサＳと給水管１１を通って電解槽２０の各電極室２４，２５に供給されるとともに、電解槽２０内で電解されて各イオン水が生成され、マイナス側電極２２の電極室２４からは水酸イオンが増加したアルカリ性イオン水が排出管３１と正状態の流路切換弁Ｖ３と導出管３３を通して大豆処理タンク４０に送られ、またプラス側電極２３の電極室２５からは水素イオンが増加した酸性イオン水が排出管３２と正状態の流路切換弁Ｖ３と導出管３４を通して排水導管５０に送られる。なお、流路切換弁Ｖ３が図１の仮想線にて示した逆状態で、電源スイッチ１０１と生成スイッチ１０２のオン操作により当該装置が正常に起動するときには、上記したステップ２０６に代えてステップ２０７の処理が実行されて、プラス側電極２２の電極室２４からは水素イオンが増加した酸性イオン水が排出管３１と逆状態の流路切換弁Ｖ３と導出管３４を通して排水導管５０に送られ、またマイナス側電極２３の電極室２５からは水酸イオンが増加したアルカリ性イオン水が排出管３２と逆状態の流路切換弁Ｖ３と導出管３３を通して大豆処理タンク４０に送られる。
【００２１】
上記した当該装置の起動に伴うイオン水の生成運転は、生成スイッチ１０２がオフ操作されるかステップ２０９にてリセットされたタイマの計時値ｔが第１設定値ｔａに達するまでステップ２１０，２１１の処理が繰り返し実行されて維持され、生成スイッチ１０２がオフ操作されると、ステップ２１２，２１３，２１４の処理が実行されて、電解槽２０の両電極２２，２３への電圧印加が停止され、給水弁Ｖ１が閉作動して、電解槽２０への給水及び給電が停止して生成運転が停止する。一方、上記した計時値ｔが第１設定値ｔａに達すると、図４のステップ２１５以降の処理が実行されて以下に説明する再運転が開始される。
【００２２】
ステップ２１５では電解槽２０の両電極２２，２３への電圧印加が停止され、ステップ２１６では給水弁Ｖ１に閉信号が出力され、ステップ２１７ではフローセンサＳがＯＦＦか否かが判定される。給水弁Ｖ１は、正常であれば閉信号にて閉作動するため、給水弁Ｖ１の閉作動により給水管１１を水が流れなくなるとフローセンサＳがＯＦＦとなり、ステップ２１７にて「ＹＥＳ」と判定されてステップ２１９，２２０，２２１，２２２の処理が順次実行される。なお、給水弁Ｖ１が閉作動しないときにはフローセンサＳがＯＦＦとならずステップ２１７にて「ＮＯ」と判定されて２１８の故障警報ルーチンが実行されて警報が発せられる。
【００２３】
ステップ２１９では、流路切換弁Ｖ３の切換ルーチンが実行されて、流路切換弁Ｖ３が正状態である場合には逆状態に、また逆状態である場合には正状態に切り換えられる。ステップ２２０では、排水弁Ｖ２に開信号が出力されて排水弁Ｖ２が開作動し、ステップ２２１ではタイマがリセットされて計時値ｔがゼロとされる。また、ステップ２２２ではステップ２２１にてリセットされたタイマの計時値ｔが排水設定値ｔｓ以上か否かが判定され、「ＮＯ」と判定されたときにはステップ２２２の処理が繰り返し実行され、「ＹＥＳ」と判定されたときにはステップ２２３，２２４の処理が実行される。なお、上記した排水設定値ｔｓは、当該装置において生成運転が中断して各導出管３３，３４内のイオン水が流路切換弁Ｖ３と各排出管３１，３２を通して電解槽２０の各電極室２４，２５に逆流し各電極室２４，２５の水が中和または逆イオン化されるまでの時間を実験により測定した実測値を基にして決定されていて、通常は２０秒程度（排水弁Ｖ２のサイズによって変わる）に設定されている。
【００２４】
ステップ２２３では排水弁Ｖ２に閉信号が出力されて排水弁Ｖ２が閉作動し、ステップ２２４ではステップ２２１にてリセットされたタイマの計時値ｔが第２設定値ｔｂ以上か否かが判定される。ステップ２２１にてリセットされたタイマの計時値ｔが第２設定値ｔｂに満たないときにはステップ２２４にて「ＮＯ」と判定されてステップ２２５の処理が実行され、また上記した計時値ｔが第２設定値ｔｂに達するとステップ２２４にて「ＹＥＳ」と判定されて図３のステップ２０３以降の処理が実行される。上記した第２設定値ｔｂは、図１に示した第２設定装置１０４によって例えば１０分〜９０分の範囲で適宜に変更可能である。
【００２５】
ステップ２２５では生成スイッチ１０２がオフ操作されているか否かが判定される。このとき、生成スイッチ１０２がオフ操作されていなければ、ステップ２２５にて「ＮＯ」と判定されてステップ２２４に戻り、また生成スイッチ１０２がオフ操作されていれば、ステップ２２５にて「ＹＥＳ」と判定されてステップ２２６の処理が実行され、ステップ２２６にてプログラムの実行が終了する。
【００２６】
したがって、上記したステップ２１５，２１６，２１７，２１９，２２０，２２１，２２２，２２３，２２４，２２５の処理が実行された後にステップ２０３以降の処理が実行されると、イオン水生成運転の一時的な中断（ステップ２１５が実行されてステップ２２３が実行されるまでの時間は第２設定装置１０４によって設定される第２設定値ｔｂに比して極めて短いため、主として第２設定値ｔｂによって決定される）と、流路切換弁Ｖ３の切換作動と、所定量の排水による各電極室内イオン水の中和または逆イオン化がなされた後に、当該装置が最初にステップ２０３以降の処理が実行され場合と同じ条件（但し、流路切換弁Ｖ３の正逆状態と両電極の正逆極性は共に前回とは逆となっている）で再起動されてイオン水の生成運転が再開される。
【００２７】
ところで、上記した所定量の排水による各電極室内イオン水の中和または逆イオン化時には、給水管１１における立上部１１ｂと分岐部１１ｃ及び電解槽２０の両電極室２４，２５内の水が開状態の排水弁Ｖ２と排水管１２を通して落差により外部に素早く排出される作用が得られると同時に、一方の導出管３３内に残存するアルカリ性イオン水が酸性イオン水の残存する排出管及び電極室に向けて落差により自動的に供給されるとともに、他方の導出管３４内に残存する酸性イオン水がアルカリ性イオン水の残存する排出管及び電極室に向けて落差により自動的に供給される作用が得られて、各電極室２４，２５を含む各流通路内の水が素早く中和または逆イオン化される。
【００２８】
したがって、当該装置の再起動初期において、マイナスとされている電極を収容する電極室内の電極が水素イオンにより侵されるのを抑制することができて電極の寿命を長くすることができるとともに、各導出管３３，３４を通して相反するイオン水が導出される（導出管３４を通してアルカリ性イオン水が導出され導出管３３を通して酸性イオン水が導出される）のを防止することができることは勿論のこと、上述したように各導出管３３，３４から電解槽２０の各電極室２４，２５に逆イオン水が逆流供給されるときに、給水弁Ｖ１より電解槽２０側の給水管１１と電解槽２０の両電極室２４，２５内の水を上記した逆流を殆ど阻害しない開状態の排水弁Ｖ２と排水管１３を通して外部に排出することができて、逆イオン水の逆流供給時間を短時間に行わせることができ、これによって電圧印加停止時間を短く設定することができ、当該装置のイオン水生成運転の中断時間を短くすることができてイオン水生成能力を向上させることができる。また、この再起動初期には電極に付着しているスケール（処理水中のカルシウムやマグネシウム等が固化したもの）が電解剥離されて電極が洗浄される。
【００２９】
また、本実施例においては、図３のステップ２０３〜２１０及び２１１の実行と図４のステップ２１５〜ステップ２２４及び２２５の実行により電解水の生成と停止が繰り返し行われて当該装置が設定時間毎に間欠運転されるため、大豆処理タンク４０内のアルカリ性イオン水Ｂは、間欠的に生成されて導出管３３を通して導かれるアルカリ性イオン水により設定時間毎に所期の性能を回復し、同アルカリ性イオン水Ｂを長時間にわたって効果的に使用することができる。
【００３０】
また、本実施例においては、上述したように当該装置が間欠運転されるとき同じ条件で電解水の生成が再開されるため、例えば各電極２２，２３に付着するスケールの量と、これを除去するに要する時間が両電極２２，２３にて略等しくなり、各電解水生成（第１設定時間ｔａの生成運転）によって質及び量の均一な電解イオン水を得ることができる。また、上記した第１設定時間ｔａ及び第２設定時間ｔｂを第１設定装置１０３と第２設定装置１０４によってそれぞれ適宜変更可能としたため、当該装置を他の使用目的に使用する場合にもその使用目的に応じて最適に間欠運転させることができて経済的に運転させることができる。なお、上記した第１設定時間ｔａ及び第２設定時間ｔｂの一方を不変として実施することも可能である。
【００３１】
上記実施例においては、図１に示した構成の電解水生成装置に本発明を実施したが、本発明は、第１及び第２の電極を内部に対向配設するとともにこれら両電極間に隔膜を配設して各電極を収容する第１及び第２の電極室を形成しこれら両電極室に処理水が流入・流出するようにした電解槽と、処理水を前記電解槽の両電極室に給水管を通して給水する給水手段（給水ポンプでも実施可能）と、前記第１の電極室に接続され同電極室にて生成された電解イオン水を排出する第１の排出管と、前記第２の電極室に接続され同電極室にて生成された電解イオン水を排出する第２の排出管と、前記第１及び第２の排出管に流路切換弁を介して選択的に接続される一対の導出管とを備えるとともに、前記電解槽と前記給水手段と前記流路切換弁の各作動を制御する制御装置を備えてなる電解水生成装置には同様に実施できるものであり、例えば、特開平６−３０４５６１号公報に示されている電解水生成装置にも実施できるものである。
【図面の簡単な説明】
【図１】本発明による電解水生成装置の一実施例を示す全体構成図である。
【図２】図１に示した電解水生成装置の一使用態様を概略的に示す図である。
【図３】図１に示した電解水生成装置の制御装置が備えるマイクロコンピュータにて実行されるプログラムの一部を示すフローチャートである。
【図４】図１に示した電解水生成装置の制御装置が備えるマイクロコンピュータにて実行されるプログラムの残部を示すフローチャートである。
【符号の説明】
１１…給水管、１１ａ…接続部、１１ｂ…立上部、１１ｃ…分岐部、２０…電解槽、２２…第１の電極、２３…第２の電極、２４…第１の電極室、２５…第２の電極室、２６…隔膜、３１…第１の排出管、３２…第２の排出管、３３，３４…導出管、１００…制御装置、Ｖ１…給水弁、Ｖ２…排水弁、Ｖ３…流路切換弁。
【図１】
0003601011.tif 000002
【図２】
0003601011.tif 000003
【図３】
0003601011.tif 000004
【図４】
0003601011.tif 000005